(57)【要約】【課題】電源装置（バッテリ）を挿入することにより、電源装置側とチェック回路部の端子部分間の導通が確認でき、もって、形状変形が生じた端子を出荷前に確実に発見することができる端子接続型電源装置の検査治具を提供することを課題とする。【解決手段】検査治具１は、電源装置４の複数の端子８と接触させる検査用の導電性の端子部を固着した台座部６と、この台座部６に向けて前記電源装置４を摺動・案内するガイド部７と、を備える装着部２と、台座部６に電源装置４の端子８が接触したとき台座部６の端子部が接続されて直列回路を形成するチェック回路部３と、から構成される。【選択図】      図１
2004198248.tif 000002
【特許請求の範囲】
【請求項１】
外部機器に対し電気的に接続する端子を有した端子接続型電源装置の検査治具において、
前記検査治具は、
前記電源装置の複数の端子と接触させる検査用の導電性の端子部を固着した台座部と、この台座部に向けて前記電源装置を摺動・案内するガイド部と、を備える装着部と、
前記台座部に前記電源装置の端子が接触したとき台座部の端子部が接続されて直列回路を形成するチェック回路部と、
を備えることを特徴とする端子接続型電源装置の検査治具。
【請求項２】
前記電源装置の端子には、先端部がスリットにより二又状にわかれた面接触部が形成されていることを特徴とする請求項１に記載の端子接続型電源装置の検査治具。
【請求項３】
前記台座部の端子部は、電源装置の端子に対応して二分割されていることを特徴とする請求項１または２に記載の端子接続型電源装置の検査治具。
【請求項４】
前記チェック回路部は、直列回路が形成されると点灯するランプを備えることを特徴とする請求項１に記載の端子接続型電源装置の検査治具。
【請求項５】
前記チェック回路部には、前記ランプの照度を調整するための調整抵抗が配設されていることを特徴とする請求項１または４に記載の端子接続型電源装置の検査治具。
【発明の詳細な説明】
【０００１】
【発明の属する技術分野】
本発明は、特に、携帯用のバーコードプリンタその他の電気機器の装置本体に電源を供給するバッテリなどの端子接続型電源装置の検査治具に関する。
【０００２】
【従来の技術】
従来、携帯用のバーコードプリンタその他の電気機器に電源を供給するバッテリなどの端子接続型電源装置として、電源装置（バッテリ）側の端子部分とプリンタ本体側の端子部分とを板バネ状に形成して面接触させることにより、本体側と電源装置側の間が導通状態となって通電するようにしたものがある。
このような電源装置（バッテリ）にあっては、端子部分を板バネ状に形成し、バッテリ側の接続端子が変形しても面接触を可能として追従性を維持し、もってバッテリ側から本体側への通電状態を確実とすべく、バッテリ側接続端子にスリットを形成し、先端部を二又状した端子部分を備えたものがある（例えば、特許文献１参照）。
しかしながら、特許文献１の電源装置（バッテリ）にあっては、バッテリ側端子部分の先端部をスリットにより二又状に形成したことにより、従来の点接触あるいは線接触となっていた状態に比し、面接触部が２つになって通電状態が確実となる反面、面接触部の一方が形状不良を起こして他方の面接触部のみが点接触あるいは線接触状態となっても導通状態となってしまうという問題がある。すなわち、複数のバッテリ側端子部分とこれに対応する装置本体側の全ての端子部分の双方が確実に接触されることにより確保される所要電源容量に対し、いずれかの端子が形状不良を起こしていると所要電源容量に満たないままとなり、供給電力が落ち込んでしまうという問題があった。
【０００３】
上記のような不具合を放置したまま出荷すると、この電源装置が装着されたバーコードプリンタ等の本体が市場に出てから導通不良を発生するため、前記不具合に対応すべく、端子接続型電源装置の検査治具が開発されているが、駆動リンクを使ったり、また、シリンダを使って自動化を目指すなど、装置が大掛かりであり、しかも、前述のような部分的な点接触あるいは線接触を起こしているような場合のチェックができないという問題がある（例えば、特許文献２参照）。
【０００４】
【特許文献１】特開平１１−４５６９３号公報（図３）
【特許文献２】特開平５−８００９９号公報（図１、図２）
【０００５】
【発明が解決しようとする課題】
本発明は、上記のような問題点に着目してなされたものであって、電源装置（バッテリ）を挿入することにより、電源装置側とチェック回路部の端子部分間の導通が確認でき、もって、形状変形が生じた端子を出荷前に確実に発見することができる端子接続型電源装置の検査治具を提供することを課題とする。
【０００６】
【課題を解決するための手段】
上記課題を達成するため、本発明に係る端子接続型電源装置の検査治具は、外部機器に対し電気的に接続する端子を有した端子接続型電源装置の検査治具において、上記検査治具は、上記電源装置の複数の端子と接触させる検査用の導電性の端子部を固着した台座部と、この台座部に向けて上記電源装置を摺動・案内するガイド部と、を備える装着部と、上記台座部に上記電源装置の端子が接触したとき台座部の端子部が接続されて直列回路を形成するチェック回路部と、を備えることを特徴とする。
また、電源装置の端子には、先端部がスリットにより二又状にわかれた面接触部が形成されるようにできる。
また、台座部の端子部は、電源装置の端子に対応して二分割されるようにできる。
また、チェック回路部は、直列回路が形成されると点灯するランプを備えるようにできる。
さらに、チェック回路部には、前記ランプの照度を調整するための調整抵抗が配設されるようにできる。
【０００７】
【発明の実施の形態】
以下、図１ないし図３を参照して、本発明に係る端子接続型電源装置の検査治具の好適な一実施の形態について説明する。
【０００８】
図１は、検査治具の概略斜視図であり、検査治具１は、装着部２とチェック回路部３とに大別される。
【０００９】
装着部２は、主に、被検査物としての端子接続型電源装置（以下では単に、電源装置と称す）４を載置するための載置部５と、この載置部５の奥側５ａに適宜の間隔をもって３個配設された台座部６と、前記載置部５の入口側５ｂから奥側５ａに向け左右両側に一対設けられたガイド部７とから成り、この載置部５および前記台座部６等は、電源装置４を装着する装置本体側（図示省略）の筐体の形状と同様の形状とされている。そして、電源装置４を載置部５の入口側５ｂ近辺に載せ、ガイド部７に沿って奥側５ａに摺動すると、電源装置４の複数の端子８（同図の例では３個）が前記台座部６に対応して位置決めされるようになっている。
【００１０】
図２は、電源装置４の端子８と、この端子８の形状チェックおよび後述の電気的なチェックを行うため台座部６に固定される検査用の端子部９、１０との対向状態を示す概略斜視図である。
【００１１】
端子８は、電源装置４側に固定される固定部８Ａと、弾性部８Ｂと、面接触部８Ｃとを有し、面接触部８Ｃはスリット８Ｄを形成することにより先端部が一方の面接触部位８ｅと他方の面接触部位８ｆとに分かれ、弾性変形を容易としている。
【００１２】
端子部９、１０は、前記電源装置４の端子８に対応する形状を呈しており、端子部９は面接触部８Ｃの一方の面接触部位８ｅに対応し、また、端子部１０は他方の面接触部位８ｆに対応する。両端子部９，１０とも、接続部９Ａ、１０Ａと、弾性部９Ｂ、１０Ｂと、面接触部９Ｃ、１０Ｃとを有し、接続部９Ａ、１０Ｂには各々図示省略の電線がハンダなどの既知の手段により取付けられており、電線（図示省略）は、おのおの後述するチェック回路部３に接続されている。
また、端子部９、１０は、隙間を空け独立した状態で面接触部９Ｃ、１０Ｃの裏面側が台座部６に接着等により固着される。従って、電源装置４が載置部５のガイド部７に沿って奥側５ａに摺動されたとき、電源装置４の面接触部８Ｃの一方の面接触部位８ｅと台座部６側の端子部９の面接触部９Ｃが面接触し、また、面接触部８Ｃの他方の面接触部位８ｆと台座部６側の端子部１０の面接触部１０Ｃが面接触するようになっている。
なお、端子部９、１０の接続部９Ａ、１０Ａは、載置部５の奥側５ａに設けられた台座部６に固着の際、貫通孔１５に挿通される。
【００１３】
図３は、チェック回路部３の一例を示す電気的回路図である。
このチェック回路部３は、台座部６に装着された端子部９、１０と、発行ダイドードなどのランプ１１と、電池パックなどの電源１２が直列に配列され、かつ、直列に配設されたダイオード１３と調整抵抗としてのバリアブルレジスタ１４が、前記電源１２、端子部９、１０およびランプ１１で形成された直列回路に対し並列に組み込まれた構成となっている。この構成の回路（電源１２は共用可）が前述電源装置４の端子８に対応する数（同図の例では３個）配設されてチェック回路部３が形成されている。
【００１４】
端子部９、１０は、前述したように、台座部６上で隙間を空け独立した状態で固着されているため、被検査物としての電源装置４が未装着時は図３のように回路が断続された状態となっている。
【００１５】
ダイオード１３およびバリアブルレジスタ１４は、ランプ１１の照度を調整するための回路であって、ランプ１１を見ながら外部からバリアブルレジスタ１４を調整することにより、最適な照度に調整できるようになっている。
【００１６】
上記のような検査治具１の使用例を説明する。
図１に示すように、装着部２の載置部５に被検査物としての電源装置４を載せ、入口側５ｂから奥側５ａに向けてガイド部７に沿って電源装置４を摺動し奥側の壁部分に当接すると、電源装置４の複数の端子８が台座部６に対応して位置決めされる。
【００１７】
電源装置４の端子８が台座部６に位置決めされると、台座部６には検査用の端子部９、１０が固着されており、端子部９の面接触部９Ｃは電源装置４の面接触部８Ｃの一方の面接触部位８ｅと面接触する。また、端子部１０の面接触部１０Ｃは電源装置４の面接触部８Ｃの他方の面接触部位８ｆと面接触する。この「面接触」により、台座部６に隙間を空け独立した状態で設けられている端子部９、１０は、先端部が二又状に形成されている電源装置４の面接触部８Ｃを介して導通状態となり、図３における端子部９、１０が直列回路を形成してランプ１１を点灯するため、電源装置４の端子８が正常な形状にあることが確認できるものである。
【００１８】
一方、電源装置４の端子８が潰れるなどの形状変化（形状の異常）をきたしていた場合、ランプ１１が点灯しなかったり、あるいは、接触不良によりランプ１１が点滅したり、更には、ランプ１１が所定の照度にならないことにより端子８の形状変化がチェックできる。すなわち、端子８の形状変化により面接触部８Ｃが潰れていると、先端部がスリット８Ｄにより二又状に分かれて形成された面接触部位８ｅ、８ｆが台座部６の端子部９または端子部１０と接触しないため、チェック回路部３の直列状態が端子部９または端子部１０で断線状態となりランプ１１が点灯せず、また、形状変化（形状の異常）が小さくて面接触部８Ｃを介してわずかに端子部９および端子部１０が接触状態にあったとしても、ランプ１１が点滅したり、あるいは、「面接触状態」が悪いことによりチェック回路部３に対する所要電源要量が得られないため、ランプ１１の照度が薄暗くなり、電源装置４の端子８の形状不良が認識できるものである。
【００１９】
なお、本発明が上記実施の形態に限定されず、本発明の技術思想の範囲内において、適宜変更されることは明らかである。また、上記構成部材の数、位置、形状等は上記実施の形態に限定されず、本発明を実施する上で好適な数、位置、形状等にすることができる。
【００２０】
【発明の効果】
この発明に係る端子接続型電源装置の検査治具は、以上説明したように、電源装置を摺動・案内する装着部と、この装着部に電源装置が装着されて電源装置の端子が台座部に接触したときに、台座部の端子部が接続されてチェック回路部が直列回路を形成するようにしたので、端子部分に形状不良がないことが導通により確認でき、もって、形状変形が生じた端子を確実に発見することができるという効果がある。
【００２１】
また、電源装置の端子の先端部がスリットにより二又状にわかれた面接触部を形成していることにより、点接触あるいは線接触状態となっていた従来の状態に比し、導通状態が確実になる。
【００２２】
また、台座部の端子部が、電源装置の端子に対応して二分割されているので、二又状にわかれた電源装置の端子との接触が片方の端子であった場合、端子部側に電気が流れないことにより電源装置の端子の変形が確実に検出できる。
【００２３】
チェック回路部に、直列回路が形成されると点灯するランプを備えたので、外部から目視で電源装置の端子の導通状態のチェックが行える。
【００２４】
チェック回路部に、ランプの照度を調整するための調整抵抗が配設されているので、導通時の明るさを調整しておくことにより端子の変形により点接触あるいは線接触等の状態のとき、正常導通時の照度が得られないことにより、目視で電源装置の端子のチェックが行える。
【図面の簡単な説明】
【図１】本発明の検査治具の一実施の形態を示す概略斜視図である。
【図２】同、電源装置側端子と台座部側端子部の対向状態を示す概略斜視図である。
【図３】同、チェック回路部を示す回路図である。
【符号の説明】
１    検査治具
２    装着部
３    チェック回路部
４    電源装置（バッテリ）
５    載置部
５ａ  載置部５の奥側
５ｂ  載置部５入口側
６    台座部
７    ガイド部
８    電源装置４の端子
８Ａ  固定部
８Ｂ  弾力部
８Ｃ  面接触部
８ｅ  面接触部位
８ｆ  面接触部位
９    台座部６側の端子部
９Ａ  接続部
９Ｂ  弾力部
９Ｃ  面接触部
１０  台座部６側の端子部
１０Ａ  接続部
１０Ｂ  弾力部
１０Ｃ  面接触部
１１    ランプ（発光ダイオード）
１２    電源
１３    ダイオード
１４    調整抵抗（バリアブルレジスタ）
15      貫通孔
【図１】
2004198248.tif 000003
【図２】
2004198248.tif 000004
【図３】
2004198248.tif 000005